(57)【特許請求の範囲】
【請求項１】
開口部を有する箱体と、この箱体に前記開口部を通して出し入れ可能に収納されるとともに上方が開口したキャッシュボックスと、前記箱体の上部に形成されコインが投入されると前記キャッシュボックスの中に入るようにしたコイン投入部と、前記箱体の前記開口部周辺に設けられたドアフレームと、このドアフレームの一部に一端部が回動可能に取り付けられているドア部と、このドア部の他端部に装着されたロック機構とを備え、このロック機構と前記ドアフレームとはキー操作により係合されて、前記ドア部が前記箱体１の前記開口部をロックするようにした自動販売機に取り付けられる金銭受領庫であって、
前記ロック機構は、前記ドア部から略直角方向に回動可能に支持される軸と、この軸とその軸線延長上に一体形成された角柱と、この角柱に一端が固定されるとともに他端がドアフレームの一部と係合可能なロックプレートと、この角柱に中央部が固定されるとともに外周の一部に凸部を有するカム状のスイッチプレートとから構成し、
前記ロック機構の近傍でドア部の裏側には、可動片が押された位置で電気回路がオンとなる第一マイクロスイッチと、可動片が押された位置で電気回路がオフとなる第二マイクロスイッチと、通電により音を発するブザーとバッテリーとが設け、
これらバッテリーとブザーと前記第一マイクロスイッチと前記第二マイクロスイッチとは電気的に直列に接続した構成とし、
前記軸に前記キーを挿入して右又は左に回動して前記角柱とともに前記ロックプレートを、前記ドアフレームから離れた状態にし、
次に前記ドア部を前記一端部を中心に回動して前記箱体の前記開口部を閉止し、前記第二マイクロスイッチの可動片が前記ドアフレームの前面に当接し押されてその電気回路がオフとなり、
更に前記キーを左又は右に回動して前記角柱とともに前記ロックプレート及びスイッチプレートが回動し、ついには前記ロックプレートが前記ドアフレームと係合し、同時に前記スイッチブレートの凸部が前記第一マイクロスイッチの可動片を押してその電気回路がオンとなる状態とし、
前記ロックプレート及びスイッチプレートを回動することなく、前記ドア部を前記ドアフレームの前面から離して前記箱体の前記開口部を開くと、前記第二マイクロスイッチの可動片が前面から離れて開放され電気回路がオンとなり、前記バッテリーから前記ブザーに前記第一マイクロスイッチと前記第二マイクロスイッチを介して通電され、前記ブザーが音を発することを特徴とするキャッシュボックスの警報装置。
【請求項２】
開口部とこれと対面する奥壁とを有する箱体と、この箱体の前記開口部周辺に設けられたドアフレームと、この箱体に前記開口部を通して出し入れ可能に収納され上方が開口するとともに前記ドアフレームと当接可能な平面状のドア部とこのドア部と対面する奥面とを備えたキャッシュボックスと、このドア部の端部に装着されたロック機構とを備え、前記箱体に前記キャッシュボックスが収納された状態で前記奥面が前記奥壁と当接し、キーが操作されると前記ロック機構と前記ドアフレームとは係合されて、前記ドア部が前記箱体の前記開口部をロックするようにした自動販売機に取り付けられる金銭受領庫であって、
前記ロック機構は、前記ドア部から略直角方向に回動可能に支持される軸と、この軸にその軸線延長上に一体形成された角柱と、この角柱に一端部が固定されこの一端部の外方周縁にはカム状の凸部を有する基端部を備えるともに対向する先端部が前記ドアフレームの一部と係合可能なロックプレートとから構成し、
前記ロック機構の近傍でドア部の裏側には、可動片が押された位置で電気回路がオンとなる第一マイクロスイッチと、通電により音を発するブザーとバッテリーとを設け、
前記キャッシュボックスの前記奥面には可動片が押された位置で電気回路がオフとなる第二マイクロスイッチを設け、
これらバッテリーとブザーと前記第一マイクロスイッチと前記第二マイクロスイッチとは電気的に直列に接続した構成とし、
前記軸に前記キーを挿入して右又は左に前記角柱とともに前記ロックプレートを回動して、前記ドアフレームから離れた状態にし、
前記ドア部により前記箱体の前記開口部を閉止し、前記第二マイクロスイッチの可動片が箱体の前記奥壁に当接し押されてその電気回路がオフとなり、
更に前記キーを左又は右に回動して前記角柱とともに前記ロックプレートが回動し、ついには前記ロックプレートの先端部が前記ドアフレームと係合し、同時に前記ロックプレートの基端部の前記凸部が前記第一マイクロスイッチの可動片を押してその電気回路がオンとなる状態とし、
前記ロックプレートを回動することなく、前記キャッシュボックスを前記箱体から引き出して前記開口部を開くと、前記第二マイクロスイッチの可動片が前記箱体の奥壁にから離れて開放され電気回路がオンとなり、前記バッテリーから前記ブザーに前記第一マイクロスイッチと前記第二マイクロスイッチを介して通電され、前記ブザーが音を発することを特徴とする。
【発明の詳細な説明】
【０００１】
【発明の属する技術分野】
この発明はゲーム機や自動販売機等に装着されるキャッシュボックスの警報装置に関する。
【０００２】
【従来の技術】
ゲーム機や自動販売機等の現金収納部の強度アップには、いろいろな工夫がなされているが、低コストでの構造的対策には限界があるし、盗難行為の抑止という点であまり期待できないものである。
通常無人で現金を扱う機構には、警報装置が取り付けられているが必ずしも全ての装置に付いているわけではない。
【０００３】
従来までは、ハイコストで要求が少ないということで警報器の取付けは見送られてきたものが多い。盗難防止用の警報器が取り付けられないのではゲーム機全体の信頼感が損失していた。
【０００４】
【発明が解決しようとする課題】
ゲーム機において、現金を取り扱う上で、盗難される危険性があり、今までは、現金収納部の強度アップにより対処していた。
しかし、ゲーム市場での盗難は、相変わらずなくならず、根本的な対策が必要となっている。
キャッシュボックス内の硬貨の盗難を防止するために警報装置を取り付ける事で、盗難現場の発見と、盗難行為の抑止の両面からのアプローチを行うことを目的とする。
【０００５】
【課題を解決するための手段】
この発明の請求項１では、開口部を有する箱体１と、この箱体１に前記開口部を通して出し入れ可能に収納されるとともに上方が開口したキャッシュボックス３と、前記箱体１の上部に形成されコインが投入されると前記キャッシュボックス３の中に入るようにしたコイン投入部１９と、前記箱体１の前記開口部周辺に設けられたドアフレーム２と、このドアフレーム２の一部に一端部が回動可能に取り付けられているドア部４と、このドア部４の他端部に装着されたロック機構５とを備え、このロック機構５と前記ドアフレーム２とはキー操作により係合されて、前記ドア部４が前記箱体１の前記開口部をロックするようにした自動販売機に取り付けられる金銭受領庫２０であって、前記ロック機構５は、前記ドア部４から略直角方向に回動可能に支持される軸と、この軸とその軸線延長上に一体形成された角柱と、この角柱に一端が固定されるとともに他端がドアフレーム２の一部と係合可能なロックプレート１４と、この角柱に中央部が固定されるとともに外周の一部に凸部を有するカム状のスイッチプレート１３とから構成し、前記ロック機構５の近傍でドア部４の裏側には、可動片が押された位置で電気回路がオンとなる第一マイクロスイッチ６と、可動片が押された位置で電気回路がオフとなる第二マイクロスイッチ７と、通電により音を発するブザー８とバッテリー（電池）９とが設け、これらバッテリー９とブザー８と前記第一マイクロスイッチ６と前記第二マイクロスイッチ７とは電気的に直列に接続した構成とし、前記軸に前記キーを挿入して右又は左に回動して前記角柱とともに前記ロックプレート１４を、前記ドアフレーム２から離れた状態にし、次に前記ドア部４を前記一端部を中心に回動して前記箱体１の前記開口部を閉止し、前記第二マイクロスイッチ７の可動片が前記ドアフレーム２の前面１５に当接し押されてその電気回路がオフとなり、更に前記キーを左又は右に回動して前記角柱とともに前記ロックプレート１４及びスイッチプレート１３が回動し、ついには前記ロックプレート１４が前記ドアフレームと係合し、同時に前記スイッチブレート１３の凸部が前記第一マイクロスイッチ６の可動片を押してその電気回路がオンとなる状態とし、前記ロックプレート１４及びスイッチプレート１３を回動することなく、前記ドア部４を前記ドアフレーム２の前面１５から離して前記箱体１の前記開口部を開くと、前記第二マイクロスイッチ７の可動片が前面１５から離れて開放され電気回路がオンとなり、前記バッテリー９から前記ブザー８に前記第一マイクロスイッチ６と前記第二マイクロスイッチ７を介して通電され、前記ブザー８が音を発することを特徴とする。
この発明の請求項２では、開口部とこれと対面する奥壁とを有する箱体２１と、この箱体２１の前記開口部周辺に設けられたドアフレーム２２と、この箱体２１に前記開口部を通して出し入れ可能に収納され上方が開口するとともに前記ドアフレーム２２と当接可能な平面状のドア部２４とこのドア部２４と対面する奥面４１とを備えたキャッシュボックス２３と、このドア部２４の端部に装着されたロック機構２５とを備え、前記箱体２１に前記キャッシュボックス２３が収納された状態で前記奥面４１が前記奥壁と当接し、キーが操作されると前記ロック機構２５と前記ドアフレーム２２とは係合されて、前記ドア部２４が前記箱体２１の前記開口部をロックするようにした自動販売機に取り付けられる金銭受領庫であって、前記ロック機構２５は、前記ドア部２４から略直角方向に回動可能に支持される軸と、この軸にその軸線延長上に一体形成された角柱と、この角柱に一端部が固定されこの一端部の外方周縁にはカム状の凸部を有する基端部を備えるともに対向する先端部が前記ドアフレーム２４の一部と係合可能なロックプレート３４とから構成し、前記ロック機構２５の近傍でドア部２４の裏側には、可動片が押された位置で電気回路がオンとなる第一マイクロスイッチ２６と、通電により音を発するブザー２８とバッテリー（電池）２９とを設け、前記キャッシュボックス２３の前記奥面４１には可動片が押された位置で電気回路がオフとなる第二マイクロスイッチ２７を設け、これらバッテリー２９とブザー２８と前記第一マイクロスイッチ２６と前記第二マイクロスイッチ２７とは電気的に直列に接続した構成とし、前記軸に前記キーを挿入して右又は左に前記角柱とともに前記ロックプレート２４を回動して、前記ドアフレーム２２から離れた状態にし、前記ドア部２４により前記箱体２１の前記開口部を閉止し、前記第二マイクロスイッチ２７の可動片が箱体２１の前記奥壁に当接し押されてその電気回路がオフとなり、更に前記キーを左又は右に回動して前記角柱とともに前記ロックプレート３４が回動し、ついには前記ロックプレート３４の先端部が前記ドアフレームと係合し、同時に前記ロックプレート３４の基端部の前記凸部が前記第一マイクロスイッチ２６の可動片を押してその電気回路がオンとなる状態とし、前記ロックプレート３４を回動することなく、前記キャッシュボックス２３を前記箱体２１から引き出して前記開口部を開くと、前記第二マイクロスイッチ２７の可動片が前記箱体２１の奥壁にから離れて開放され電気回路がオンとなり、前記バッテリー２９から前記ブザー２８に前記第一マイクロスイッチ２６と前記第二マイクロスイッチ２７を介して通電され、前記ブザー２８が音を発する。
【０００６】
【発明の実施の形態】
実施の形態１．
以下この発明のキャッシュボックスの警報装置を図面に従って説明する。
図１はゲーム機や自動販売機に取り付けられる金銭受領庫２０である。
金銭受領庫２０は箱体１とキャッシュボックス３とコイン投入部１９とドア４とロック機構５とから構成されている。
【０００７】
キャッシュボックス３は箱体１に出し入れ可能に収納され、コイン投入部１９から送られてくる１００円、５００円等硬貨を受け入れる。
コイン投入部１９はコイン投入口１６とコイン検出部１８、コイン戻し口１７とからなり、コイン投入口１６に入れられた硬貨は、コイン検出部１８で所定のコインかどうか判別される。
【０００８】
１円玉、５円玉その他不良コインはコイン戻し口１７から排出される。箱体１の開口部周辺にはドアフレーム２が設けられ、ドアフレーム２にドア部４の一端部が矢印Ａ方向に回動可能に取り付けられている。
ドア部４の他端部にはロック機構５が装着され、このロック機構５はドアフレーム２と係合して、ドア部４が箱体１の入口をロックする。
【０００９】
ロック機構５はキーが挿入されて回動する軸と、ロックプレート１４が係合される軸と一体の角柱と、スイッチプレート１３とこれらを締めるネジとから構成される。
ロック機構５の近傍でドア部４の裏側にはブザーベース１１がネジ等で固定されブザーベース１１には第一スイッチ手段となる第一マイクロスイッチ６が設けられている。
【００１０】
スイッチプレート１３はカム状であり凸部を有し、スイッチプレート１３がキーとともに回動したとき、この凸部が第一マイクロスイッチ６の可動片に当接して、押したり、離れたりする。
又ブザーベース１１内には小型のブザー８とバッテリー（電池）９とサポート１０とが設けられ、ブザーカバー１２により被われている。
これらブザー８とバッテリー（電池）９とで警報音発生手段を構成する。
【００１１】
次にブザーベース１１下方には第二スイッチ手段の第二マイクロスイッチ７が取り付けられている。
この第二マイクロスイッチ７は図３に示すように、ドア部４が閉められた状態のとき、その可動片が箱体１の前面１５に当接して、破線位置から実践位置に矢印Ｂ方向に押されるようになっている。この可動片が押された位置で第二マイクロスイッチ７はオフである。
【００１２】
逆に、ドア部４が開くと第二マイクロスイッチ７は前面１５から離れ、可動片も元に戻り、第二マイクロスイッチ７はオンとなる。
さて第一マイクロスイッチ６は、スイッチブレート１３の凸部がその可動片を押したときは、同時にロックプレート１４がドアフレームと係合し（ロック状態）オンである。
図７に示すようにバッテリー９とブザー８と第一マイクロスイッチ６と、第二マイクロスイッチ７とは電気的に直列に接続されて接地を含めて閉回路を構成してる。
【００１３】
次に第一実施例の動作を説明する。
キャッシュボックス３が箱体１内に収納されてロック機構５の鍵を施錠している図３の状態では、第二マイクロスイッチ７の可動片は前面１５に押されて、第二マイクロスイッチ７はオフとなる。
又ロックプレート１４はドアフレーム２と係合し、箱体１キャッシュボックス３の凸部が第一マイクロスイッチ６の可動片を押して、第一マイクロスイッチ６はオンとなり、電気回路は図７の（ａ）となる。
従ってバッテリー９からブザー８への電流は、第二マイクロスイッチ７によりオフされて、ブザー８は鳴らない。
【００１４】
次に正当に鍵を使用し、ロック機構５を解除している図１の状態では、第二マイクロスイッチ７の可動片は前面１５から離れて元に戻りオンとなる。
このときロックプレート１４は回動してドアフレーム２から外れており、スイッチプレート１３の凸部は第一マイクロスイッチ６の可動片を解除して、第一マイクロスイッチ６はオフとなり、電気回路は図７の（ｂ）となる。
従ってバッテリー９からブザー８への電流は、今度は第一マイクロスイッチ６によりオフとされて、ブザー８は鳴らない。
【００１５】
この状態で正当な鍵の使用者は、箱体１からキャッシュボックス３を外部に取り出し、キャッシュボックス３内の売上金のコインを回収する。
ところが、不当に、回動可能なドア部４と箱体１のドアフレームドアフレーム２との間の隙間に、バール等の工具を無理に押し込んで、ロックプレート１４を折り曲げてドア部４をこじ開ける場合を仮定する。
鍵を使用しないので、ロックプレート１４もスイッチプレート１３も回動していないので、その凸部は第一マイクロスイッチ６の可動片と当接した状態であり、第一マイクロスイッチ６はオンのままである。
【００１６】
更にドア部４が回動して開かれると、第二マイクロスイッチ７は前面１５より離れるので第二マイクロスイッチ７の可動片は元に戻り、第二マイクロスイッチ７はオンとなり、電気回路は図７の（ｃ）となる。
従ってバッテリー９からの電流はブザー８、第一マイクロスイッチ６、第２マイクロスイッチ７、グランドへと流れ、ブザー８は警報音を発生する。
【００１７】
ブザーが鳴っているときに第一マイクロスイッチ６をオフにしようとしても、第一マイクロスイッチ６、ブザー８、バッテリー９等はブザーベース１１とブザーカバー１２の間に納められて外部から触れられない。
そのために簡単には第一マイクロスイッチ６をオフに出来ず、不正な者がキャッシュボックス３を持ち出そうとしている間に、この音により警備員が気付くことになる。
【００１８】
従って無理矢理ドア部４を開けてもブザー８から警報音が鳴る為、容易にキャッシュボックス３を盗む事は出来ない。
又本装置はコンパクトに出来ていて、キャッシュ側ドア部４の内側に設ける為、又キーによるドア開閉では警報音は鳴らない為、通常のキャッシュ回収作業の邪魔にはならない。
【００１９】
ブザー８の電源にバッテリー９を使っている為、本装置を取り付けたゲーム機等の主体の電源が切れていても、本装置はバッテリー９が切れない限り、働きを保つ事が出来る。
【００２０】
次に本発明の他の実施例について図４、５、６、７に従って説明する。
実施例２
第２実施例は図６に示すように、箱体２１にキャッシュボックス２３をスライドして格納し、この箱体２１をゲーム機等にはめ込む型である。
図６において、一面が欠けて開口した箱体２１には、開口部の周辺にドアフレーム２２が設けられ、キャッシュボックス２３が取り外し可能に矢印Ｃ方向に出し入れされる。
【００２１】
キャッシュボックス２３の上方は開いており、所定のコイン通路から１００円玉、５００円玉等が落下して来てためられるようになっている。
箱体２１にキャッシュボックス２３が収納された状態では、キャッシュボックス２３の正面はドアフレーム２２に密着し、箱体２１のドア部２４となっている。
【００２２】
図４、５において、このドア部２４の裏面上方にはロック機構２５が設けられ、このロック機構ム２５はドアフレーム２２と係止して、キャッシュボックス２３は箱体２１から抜き出せないロック状態にする。
図６において、ドアフレーム２２の後方で箱体２１の天井面には切欠３３が形成されている。
【００２３】
ロック機構２５はキー軸３５と、その内部の回動する内軸と、この内軸とともに回動可能なロックプレート３４と、これらを格納するブザーボック３８とこれらを締め付けるネジと、ロックプレート３４と係合するブラケット７とから構成される。
【００２４】
ブラケット３７はドア部２４の裏面に固定され、切欠３９が形成されている。このブラケット３７のドア部２４の穴と連通する穴には、キー軸３５が挿入され、切欠３９はドア部２４から垂直に立設した平面に設けられている。
ブラケット３７にはブザーボックス３８が取りつけられ、ブザーボックス３８穴もドア部２４の穴と連通する。
【００２５】
キー軸３５がこれら連通した穴に挿入され、この軸の先の角柱部にロックプレート３４の一端部が係合している。
更に角柱部の先はオスネジになっており、ここにナット締め付けてロックプレート３４を角柱部に固定する。
キー軸３５にキーを差して回すと角柱部とともにロックプレート３４が回動し、その先端部が切欠３９に入り込むようになる。
さて、ブザーボックス３８の内には、第一マイクロスイッチ２６とブザード２８と電池２９が納められ、ブザーカバー３２により被われている。
これらブザード２８と電池２９とで警報音発生装置を構成する。
【００２６】
更に、詳しくはロックプレート３４の先端部はＬ字状になり、その基端部にはカム状の凸部４０に形成されている。
ロックプレート３４がキーとともに回動したとき、この凸部４０が第一マイクスイッチ２６の可動片に当接して押したり、離れたりできる位置にこれらを配置する。
【００２７】
図５、６において、キャッシュボックス２３のドア部２４と対向する奥面４１には、小型のスイッチカバー３６が配置され、その上に第二マイクロスイッチ２７が取り付けられる。
キャッシュボックス２３が箱体２１に収納された状態では、奥面４１は箱体２１の奥壁と最接近し、第二マイクロスイッチ２７の可動片が奥壁と当接し、押されて、そのスイッチ回路はオフとなる。
【００２８】
キャッシュボックス２３が箱体２１から引き出されて、奥面４１が奥壁から離れると、第二マイクロスイッチ２７の可動片は自由になり元に戻り、そのスイッチ回路はオンになる。
第二マイクロスイッチ２７と電池２９、ブザー２８、第一マイクロスイッチ２６との間の配線は箱体２１を二重板で構成し、その間を通すか、又は、箱体２１の箱内の各面上に粘り付けして、コイン出し入れの邪魔にならないようにする。
【００２９】
電池２９とブザー２８と第一マイクロスイッチ２６と第二マイクロスイッチ２７との電気配線は、第一実施例と同様に図７の通りである。
【００３０】
次に第２実施例の動作を説明する。
キャッシュボックス２３が箱体２１内に収納されロック機構２５が施錠している図５の状態（箱体２１は省略）では、ロックプレート３４が上方に回動し、その先端部がブラケット３７の切欠３９に入り込み、更に箱体２１の切欠３３にも入り込み係合する。
【００３１】
このとき、第二マイクロスイッチ２７の可動片は箱体２１の奥壁と当接し押されて、第二マイクロスイッチ２７はオフとなり、又ロックプレート３４の基端部の凸部４０が第一マイクロスイッチ２６の可動片を押して、第一マイクロスイッチ２６はオンとなり、電気回路は図７の（ａ）となる。
従って電池２９からブザー２８への電流は、第二マイクロスイッチ２７によりオフされ、ブザー２８は鳴らない。
【００３２】
次に正当にキーを使用して、キー軸３５の内軸とロックプレート３４を回動したロック機構２５を解除している状態（図６）では、第二マイクロスイッチ２７の可動片は箱体２１の奥壁から離れて元に戻りオンとなる。
このときロックプレート３４は回動して箱体２１の切欠３３、及びブラケット３７の切欠３９から抜け出ており、ロックプレート３４の凸部４０は第一マイクロスイッチ６の可動片を解放して、第一マイクロスイッチ２６はオフとなり、電気回路は図７の（ｂ）となる。
【００３３】
従って電池２９からブザー２８への電流は今度は第一マイクロスイッチ２６になりオフされてブザー２８は鳴らない。
これは正当な者がキーで、ロック機構２５を解除してコインを回収している状態である。
ところが不当に、バール等の工具を使用してドア部２４をこじ開けた場合、キーを使用しないので、ロックプレート３４は回動しないままブラケット３７の切欠３９及び箱体２１の切欠３３と係合している。
【００３４】
このためロックプレート３４の凸部４０は第一マイクロスイッチ２６の可動片に当接したままであり、第一マイクロスイッチ２６はオンである。
コインを盗もうとしてキャッシュボックス２３を引き出すと、第２マイクロスイッチ２７の可動片が箱体２１の奥壁から離れて、第二マイクロスイッチ７はオンとなり、電気回路は図７の（ｃ）となる。
従って電池２９から電流がブザー２８に流れて警報音が発生する。
【００３５】
この装置は、電池２９を備えているので、外部から電源をとる必要がなく、自給自足ができる。逆に電池２９の消耗により、機構低下時は、電池交換をしないといけないので、完全密閉にせず、ブザーカバー３２による半密閉とし、このカバー３２をはずすことで、電池交換が容易に出来るようにする。
【００３６】
この発明によれば、盗難現場の早期発見並びに、盗難行為の抑止が期待でき、又自動販売機やゲーム機全体の盗難行為抑止による信頼感の向上が図れる。
更に自社製品（既存、新規ともに）のイメージアップと販売促進（付加価値）ノ先駆者となり、ゲーム機への警報装置取付の推進をすることになる。
【図面の簡単な説明】
【図１】本発明のキャッシュボックスの警報装置の第１実施例の分解斜視図である。
【図２】本発明のキャッシュボックスの警報装置の第１実施例の内部の裏面図である。
【図３】本発明のキャッシュボックスの警報装置の第１実施例の内部の側面図である。
【図４】本発明のキャッシュボックスの警報装置の第２実施例の分解斜視図である。
【図５】本発明のキャッシュボックスの警報装置の第２実施例の要部の破断図である。
【図６】本発明のキャッシュボックスの警報装置の第２実施例の格納の様子を示す斜視図である。
【図７】本発明の動作を説明する電気回路図である。
【符号の説明】
１、２１  箱体
２、２２  ドアフレーム
３、２３  キャッシュボックス
４、２４  ドア部
５、２５  ロック機構
６、２６  第一マイクロスイッチ
７、２７  第二マイクロスイッチ
８、２８  ブザー
９、２９  電池
１０、３０  サポート
１１  ブザーベース
１２、２２  ブザーカバー
１３  スイッチプレート
１４、２４  ロックプレート
１５  前面
１６  コイン投入口
１７  コイン戻し口
１８  コイン検出機構
１９  コイン投入部
２０  金銭受領庫
３３、３９  切欠
３５  キー軸
３６  スイッチカバー
３７  ブラケット
３８  ブザーボックス
４０  凸部
４１  奥面
【図１】
0003753491.tif 000002
【図２】
0003753491.tif 000003
【図３】
0003753491.tif 000004
【図４】
0003753491.tif 000005
【図５】
0003753491.tif 000006
【図６】
0003753491.tif 000007
【図７】
0003753491.tif 000008